(57)【特許請求の範囲】
【請求項１】
隣接する両パネルの側端縁間に、上下方向を回転軸とするヒンジを配して両パネルを相対回転可能に連結したパーティションのヒンジ構造であって、前記ヒンジは一方のパネルに取り付けられる第１ヒンジ片と、他方のパネルに取り付けられる第２ヒンジ片とで構成され、前記第１ヒンジ片が、パネル取付け部と円柱基部と該円柱基部から延設した軸部とから成り、前記第２ヒンジ片が、パネル取付け部と円筒基部とから成り、両基部は略同一の外形を有して互いに対接し、かつ前記軸部が前記円筒基部内で回動自在に支持されるように両ヒンジ片が前記パネルにそれぞれ前記パネル取付け部を介して取り付けられており、
前記両パネルは所定回転角度位置でその移動が制限され、かつ前記第１及び第２ヒンジ片間に配置した相対回転拘束手段により前記所定回転角度位置での相対回転が拘束され、該相対回転拘束手段は、カム溝リングとカムリングと両リング押圧する弾性体とで構成され、前記両リングの一方が前記円筒基部に、他方が前記軸部にそれぞれ摺動自在に嵌合して、前記軸部と前記円筒基部内で構成される空間部内に収納されていることを特徴とするパーティションのヒンジ構造。
【請求項２】
前記両パネルを所定回転角度位置でその移動を制限する手段は、円弧溝とピンとで構成され、いずれか一方が前記円柱基部に他方が前記円筒基部に配置されている請求項１に記載のパーティションのヒンジ構造。
【請求項３】
前記ヒンジを隣接する両パネルの側端縁間の上端と下端の２箇所に設け、両ヒンジ間にポールを配設する請求項１または２に記載のパーティションのヒンジ構造。
【発明の詳細な説明】
【０００１】
【発明の属する技術分野】
本発明は、隣接する両パネルの側端縁間に、上下方向を回転軸とするヒンジを配して両パネルを相対回転可能に連結したパーティションのヒンジ構造に関する。
【０００２】
【従来の技術】
従来、２つのパネルを開閉自在に取り付けたパーティションにおいて、両パネルの側端縁間にピポットヒンジや蝶番を用いたものが知られている。図６（ａ）は蝶番の分解斜視図であって、蝶番０２は蝶番上片０２ａと蝶番下片０２ｂおよび両蝶番片を相互に回動自在に接続するピン０２ｃで構成され、脱落防止のためのキャップ０２ａ’、０２ｂ’がピン０２ｃと嵌合している。
【０００３】
図６（ｂ）は、このような蝶番をパネルに適用したパーティションの斜視図である。図６（ｂ）において、パーティション０１は、前面が開口したコ字状のパネル０１ａの前面部に、２つのパネル０１ｂ、０１ｂ’を開閉自在に取り付けたもので、蝶番０２は２つのパネルの側端縁間の上部と下部に計４個取り付けられている。このように構成されたパーティーション０１は、コ字状のパネル０１ａに対してパネル０１ｂ、０１ｂ’を図示した開いた状態から前面開口部を閉じる状態に自由に開閉することができた。
【０００４】
【発明が解決しようとする課題】
しかしながら、図６（ｂ）で示したような従来のパーティーション０１は、開閉は自由にできるが両パネルを所定の回転角度位置に保持することはできず、したがって両パネル０１ｂ、０１ｂ’を拡げて使用する場合も、或いは開口を閉じて運搬するような場合でも、パネルに小さな外力が作用するとすぐに移動してしまい不便であった。したがって開口部の開閉において、パネルのこのようながたつきを防止するには別途にパネルにロック機構等を設けてパネルを所定角度位置に固定するようにしていた。そしてこのことは、コ字状のパネルとの組み合わせだけに限らず、通常の平板状のパネル同士の組み合わせにおいても言えることである。
【０００５】
本発明は、上記のような問題点を解決するためになされたもので、新たにロック機構等をパネルに取り付けることなく、利用者が希望する位置にパネルを拘束保持できるようにし、パーティションの使用時や移動時等においても利用者の安全性も考慮した機能を備えるパーティションのヒンジ構造を提供することを目的とする。
【０００６】
【課題を解決するための手段】
本発明のパーティションのヒンジ構造は、隣接する両パネルの側端縁間に、上下方向を回転軸とするヒンジを配して両パネルを相対回転可能に連結したパーティションのヒンジ構造であって、前記ヒンジは一方のパネルに取り付けられる第１ヒンジ片と、他方のパネルに取り付けられる第２ヒンジ片とで構成され、前記第１ヒンジ片が、パネル取付け部と円柱基部と該円柱基部から延設した軸部とから成り、前記第２ヒンジ片が、パネル取付け部と円筒基部とから成り、両基部は略同一の外形を有して互いに対接し、かつ前記軸部が前記円筒基部内で回動自在に支持されるように両ヒンジ片が前記パネルにそれぞれ前記パネル取付け部を介して取り付けられており、前記両パネルは所定回転角度位置でその移動が制限され、かつ前記第１及び第２ヒンジ片間に配置した相対回転拘束手段により前記所定回転角度位置での相対回転が拘束され、該相対回転拘束手段は、カム溝リングとカムリングと両リング押圧する弾性体とで構成され、前記両リングの一方が前記円筒基部に、他方が前記軸部にそれぞれ摺動自在に嵌合して、前記軸部と前記円筒基部内で構成される空間部内に収納されていることを特徴としている。
この特徴により、両パネルが所定回転角度位置でその回転移動が制限され、そのとき両パネルの相対回転が拘束されるので、所定回転角度位置を予め希望の角度位置に設定しておけば、常にパーティションを希望の角度位置に安定した状態で保持することができる。そして両ヒンジ片の組付けが容易で、かつ、組付けられたヒンジはコンパクトな円柱状の棒体として構成できる。
【０００８】
本発明のパーティションのヒンジ構造は、前記両パネルを所定回転角度位置でその移動を制限する手段は、円弧溝とピンとで構成され、いずれか一方が前記円柱基部に他方が前記円筒基部に配置されていることが好ましい。
このようにすれば、パネルの移動を制限する手段が円弧溝とピンという簡素な構成で達成でき、しかもこれらが両基部間に設けられているのでスペースもとらない。
【００１１】
本発明のパーティションのヒンジ構造は、前記ヒンジを隣接する両パネルの側端縁間の上端と下端の２箇所に設け、両ヒンジ間にポールを配設することが好ましい。
このようにすれば、両パネル間の側端縁間を２つのヒンジとポールで塞ぐことができ、パーティション本来の遮蔽効果を高め、かつパネルの開閉時や運搬時に利用者が手を挟んでしまうような危険性も回避できる。
【００１２】
【発明の実施の形態】
以下、実施の形態を挙げ図面に基づいて本発明のパーティションのヒンジ構造について説明する。
【００１３】
図１は本発明のヒンジの分解斜視図であり、ヒンジ３０は一方のパネルに取り付けられる下方ヒンジ片３１と他方のパネルに取り付けられる上方ヒンジ片３２と相対回転拘束手段４０とで構成されている。
【００１４】
下方ヒンジ片３１は、パネル取付け部３１ａと円柱基部３１ｂとこの円柱基部３１ｂから延設した軸部３１ｃとから成り、上方ヒンジ片３２は、パネル取付け部３２ａと円筒基部３２ｂとから成っている。下方ヒンジ片３１の円柱基部３１ｂと上方ヒンジ部３２の円筒基部３２ｂは略同一の外形寸法を有して互いに対接している。
【００１５】
相対回転拘束手段４０はカム溝リング３３、カムリング３４、バネ受け３５及びバネ３６からなり、これら部品は上下ヒンジ片３１，３２が組付けられて、軸部３１ｃが円筒基部３２ｂ内に挿入されたときにできる空間部３２ｂ−１に収納される。バネ抑えキャップ３７はバネ３６に押圧力を付与すると同時に部品の脱出防止を兼ねている。
【００１６】
本実施例のヒンジ３０の構造及び組み立て手順を更に詳述すると、上方ヒンジ片３２の円筒基部３２ｂと下方ヒンジ片３１の円柱基部３１ｂはほぼ同径の外寸法を有しており、両ヒンジ片が組付けられたとき、下方ヒンジ片３１の円柱基部３１ｂの上端面に形成されているピン３１ｂ−１が上方ヒンジ片３２の円筒基部３２ｂの下端面に施されている９０度の円弧溝３２ｂ−３に嵌合し、円柱基部３１ｂと円筒基部３２ｂは接合して外形は連続した円柱状の棒体となっている。
【００１７】
また、下方ヒンジ片３１の軸部３１ｃは円筒基部３２ｂの底面に形成した貫通孔３２ｂ−４に回転可能に軸支されると共に、この軸部３１ｃに施された２つのキー溝３１ｃ−１に対してカムリング３４内面に形成した２つのキー３４ｂが上下方向に対して摺動自在に嵌合している。従って、下方ヒンジ片３１が上方ヒンジ片３２に対して相対回転すると、下方ヒンジ片３１は円弧溝３２ｂ−３の範囲内でカムリング３４と一体に回動する。なお、この両ヒンジ片３１，３２の相対回転角度範囲を制限するピンと円弧溝の配置関係を逆にして、ピンを円筒基部３２ｂの下面に、円弧溝を円柱基部３１ｂの上面にしてもよい。
【００１８】
一方、上方ヒンジ片３２の円筒基部３２ｂの内周面にも４つのキー溝３２ｂ−２が施され、カム溝リング３３外面に形成した４つのキー３３ａが上下方向に対して摺動自在に嵌合している。
【００１９】
次に組付け手順について説明すると、先ず下方ヒンジ片３１の軸部３１ｃを上方ヒンジ片３２の円筒基部３２ｂの底面に形成した貫通孔３２ｂ−４から挿入してピン３１ｂ−１が円弧溝３２ｂ−３に入り込み、両基部３１ｂ、３２ｂが当接するまで嵌入する。その後、カム溝リング３３を円筒基部３２ｂに、カムリング３４を軸部３１ｃにそれぞれキー溝を介して嵌入させる。
【００２０】
カムリング３４の下面には、１８０°間隔で２つの山状カム３４ａが形成され、カム溝リング３３の上面には円周の９０°毎の位置に４箇所のカム溝凹部３３ｂが施されている。両リング３３，３４は、２つのパネルが作る回転角度位置が所定角度位置、即ち本実施例の場合は、０度、９０度或いは１８０度の位置で両パネルの相対回転が拘束できるように考慮して設計されている。
【００２１】
組付けの際は、下方ヒンジ片３１のパネル取付け部３１ａと上方ヒンジ片３２のパネル取付け部３２ａの開き角度を基準として、０度と９０度或いは１８０度のときに山状カム３４ａがカム溝凹部３３ｂと当接するようにする。
【００２２】
最後に、バネ受け３５、バネ３６およびバネ抑えキャップ３７をカムリング３４の上に順次積み重ね、このキャップ３７の円周下面を円筒基部３２ｂの円周上面に当接させ、該キャップ３７の外周面に施されたネジ孔３７ａからノックピン３８を差し込み、下方ヒンジ片３１の軸部３１ｃ上端面に形成した円柱形状の軸凸部３１ｃ−２外周面に貫通するノックピン穴３１ｃ−２’へ挿通してネジ係合する。
【００２３】
図２は組付け終了後の両パネルの側端縁間に配置するヒンジとパネルの一部を示したもので、（ａ）はその正面図（ｂ）はその平面図であって、図２（ａ）において、３０は組付け完成終了後のヒンジで、相対回転拘束手段４０は下方ヒンジ片３１の軸部３１ｃと上方ヒンジ片３２の円筒基部３２ｂの内面で構成される空間部３２ｂ−１（図１）に全てが収納されている。
【００２４】
図２（ｂ）に示したように、下方ヒンジ片３１の取付け部３１ａは一方のパネル１ａに形成した溝１ａ−１にはめこみ、ねじ４をパネル１ａの挿入穴１ａ−２より差し込んで取付部のねじ穴３１ａ’に螺合することで取り付けられ、同様に上方ヒンジ片３２の取付け部３２ａは他方のパネル１ａ’に形成した溝１ａ’−１にはめこみ、ねじ４をパネル１ａ’の挿入穴１ａ’−２より差し込んで取付部のねじ穴３２ａ’に螺合することで取り付けられている。
【００２５】
図２（ｂ）はパネル１ａ，１ａ’が１８０度開いた状態で取付られるものが示されており、ピン３１ｂ−１は９０度の範囲にわたって形成されている円弧溝３２ｂ−３の端部に係合している。この状態からパネル１ａを左周りに９０度回転させてその位置で拘束保持しようとするときは、パネル１ａはパネル１ａ’に対して左回転させる。そのとき下方ヒンジ片３１に設けたピン３１ｂ−１が９０度までは円弧溝３２ｂ−３に沿って回動できるがその角度以上は回動できないように制限されているので、パネル１ａは９０度回転したところでその移動を停止する。
【００２６】
このパネル１ａの９０度の左回動中、下方ヒンジ片３１の軸部３１ｃと一体に回動するカムリング３４はカム溝リング３３に対して９０度回転することになる。これは両パネル１ａ，１ａ’が図２（ｂ）の状態で一直線に並んでいたときに、図１におけるカムリング３４の山状カム３４ａがカム溝リング３３のカム溝凹部３３ｂに係合した状態にあり、パネル１ａが９０度回転すると山状カム３４ａが隣の９０度離れたカム溝凹部３３ｂに移動することになり、この移動中カム山３３ｂ’を乗り越えるために弾性体、本実施例ではバネ３６を圧縮しなければならない。
【００２７】
このバネ３６を圧縮する力はパネル１ａ又は１ａ’の移動拘束力になるから、両パネル１ａ，１ａ’が一直線に並んでいる状態からパネル１ａを９０度左回転させたときパネル１ａがその位置で移動できないように拘束保持されることになる。
【００２８】
本実施例において、カムリング３４を下方ヒンジ片３１に、カム溝リング３３を上方ヒンジ片にそれぞれ摺動係合させているが、この配置関係を逆にして、カムリング３４を上方ヒンジ片に、カム溝リング３３を下方ヒンジ片にそれぞれ摺動係合させてもよい。
【００２９】
これまで、パネル１ａが９０度左回転するときの説明をしたが、右回転させても、同様に山状カム３４ａが隣の９０度離れた他のカム溝凹部３３ｂに移動しその位置で拘束保持されることになる。このとき円弧溝は左回転できるように形成しておくことは言うまでもない。
【００３０】
本実施例ではパネルを９０度回転させたときにその位置で拘束保持されるようにしたものであるが、円弧溝３２ｂ−３の形設範囲やカム溝凹部３３ｂの配置角度を適宜設定することで、９０度に限ることなく利用者の希望する角度で拘束保持することができる。
【００３１】
図３は前面が開口したコ字状のパネルの前面部に、ヒンジを介して２つのパネルを開閉自在に取り付けた本発明のパーティションの平面図であり、コ字状パネル４２の左方には短めのパネル４３が、右方には長めのパネル４４がヒンジ３０を介してそれぞれ取付けられており、パネル４３とパネル４４の合計の長さはコ字状のパネル４２の開口部を塞ぐことが可能な長さになっている。
【００３２】
またヒンジ３０の回動はそれぞれのパネル４３，４４に一定の力を加えることによりヒンジ３０を軸として９０°の回動で閉塞するとともに、その位置で拘束され、逆に閉塞された開口部を開口するにはパネル４３，４４に一定の力を加えることによって９０°の回動で開放されるとともに、その位置で拘束される。これにより、パーティション４１は開状態においても閉状態おいても安定するので、パーティションの使用中も移動中もパネルががたつくようなことはない。
【００３３】
図４は上方と下方のヒンジの間にポールを適用した分解斜視図であり、ヒンジ３０上端側、下端側にはあらかじめ同径のキャップ凸部３７ｂと下ヒンジ凸部３１ｄが形成されており、下方ヒンジ３０のキャップ凸部３７ｂと上方ヒンジ３０の下ヒンジ凸部３１ｄ間には挿通孔５ａを有するポール５が嵌合している。
【００３４】
図５は、図４のポールを中間に配設したヒンジ組立体をパーティションに適用した斜視図であり、パネル５１と５２を回動自在にの連結する上方のヒンジ３０と下方のヒンジ３０の間に樹脂製のポール５３が取付けられており、パネル間の隙間は２つのヒンジ３０とポール５３で塞がれ、パーティション５０の遮蔽効果を高めることができる。しかもパネルの開閉時や移動時などに利用者が手を挟んでしまう危険性も回避できる。
【００３５】
以上、本発明の実施例を図面により説明してきたが、具体的な構成はこれら実施例に限られるものではなく、本発明の要旨を逸脱しない範囲における変更や追加があっても本発明に含まれるものであって、例えば両パネル側端縁間に配するヒンジの数は必ずしも２つに限ることはなく、パネルの大きさや回動の安定度合いを考慮して１個でもよく或いは３個以上取り付けたものでもよい。。
【００３６】
【発明の効果】
本発明は次の効果を奏する。
【００３７】
（ａ）請求項１の発明によれば、両パネルが所定回転角度位置でその回転移動が制限され、そのとき両パネルの相対回転が拘束されるので、所定回転角度位置を予め希望の角度位置に設定しておけば、常にパーティションを希望の角度位置に安定した状態で保持することができる。そして両ヒンジ片の組付けが容易で、かつ、組付けられたヒンジはコンパクトな円柱状の棒体として構成できる。
【００３９】
（ｂ）請求項２の発明によれば、パネルの移動を制限する手段が円弧溝とピンという簡素な構成で達成でき、しかもこれらが両基部間に設けられているのでスペースもとらない。
【００４２】
（ｃ）請求項３の発明によれば、両パネル間の側端縁間を２つのヒンジとポールで塞ぐことができ、パーティション本来の遮蔽効果を高め、かつパネルの開閉時や運搬時に利用者が手を挟んでしまうような危険性も回避できる。
【図面の簡単な説明】
【図１】本発明のヒンジの分解斜視図である。
【図２】組付け終了後の本発明のヒンジとパネルの一部を示したもので、（ａ）はその正面図（ｂ）はその平面図である。
【図３】コ字状のパネルの前面部に、ヒンジを介して２つのパネルを開閉自在に取り付けた本発明のパーティションの平面図である。
【図４】上方と下方のヒンジの間にポールを適用した分解斜視図でありる。
【図５】ポールを中間に配設したヒンジ組立体をパーティションに適用した斜視図である。
【図６】（ａ）は従来の蝶番の分解斜視図である。（ｂ）は蝶番をパネルに適用した従来のパーティションの斜視図である。
【符号の説明】
１ａ                      パネル
１ａ−１                    溝
１ａ−２                    挿入穴
１ａ’                        パネル
１ａ’−１                    溝
１ａ’−２                    挿入穴
４                              ねじ
３０                            ヒンジ
３１                            下方ヒンジ片
３１ａ                          パネル取付け部
３１ａ’                          ねじ穴
３１ｂ                          円柱基部
３１ｂ−１                      ピン
３１ｃ                          軸部
３１ｃ−１                      キー溝
３１ｃ−２                      円柱形状の軸凸部
３１ｃ−２’                    ノックピン穴
３１ｄ                          下ヒンジ凸部
３２                            上方ヒンジ片
３２ａ                          パネル取付け部
３２ａ’                        ねじ穴
３２ｂ                          円筒基部
３２ｂ−１                      空間部
３２ｂ−２                      キー溝
３２ｂ−３                      円弧溝
３２ｂ−４                      貫通孔
３３                            カム溝リング
３３ａ                          キー
３３ｂ                          カム溝凹部
３３ｂ’                        カム山
３４                            カムリング
３４ａ                          山状カム
３４ｂ                          キー
３５                            バネ受け
３６                            バネ
３７                            バネ抑えキャップ
３７ａ                          ねじ穴
３７ｂ                          キャップ凸部
３８                            ノックピン
４０                            相対回転拘束手段
４１                            パーティション
４２                            コ字状パネル
４３，４４                      パネル
５０                            パーティション
５１，５２                      パネル
５３                            ポール
【図１】
0004744710.tif 000002
【図２】
0004744710.tif 000003
【図３】
0004744710.tif 000004
【図４】
0004744710.tif 000005
【図５】
0004744710.tif 000006
【図６】
0004744710.tif 000007